(57)【特許請求の範囲】
【請求項１】
レンズ鏡胴の先端部にアクセサリ部品が着脱自在に構成されるレンズ装置のアクセサリ着脱機構において、
前記レンズ鏡胴の先端部には円筒状に突出形成された鏡胴側装着部が設けられ、該鏡胴側装着部の外周面には複数の係合部が周方向に沿って等間隔で形成され、
前記アクセサリ部品の後端部には円筒状に突出形成されたアクセサリ側装着部が設けられ、該アクセサリ側装着部の内周面には前記複数の係合部にそれぞれ対応する位置に複数の係止爪が周方向に沿って等間隔で形成され、
前記アクセサリ側装着部の内側に前記鏡胴側装着部が挿入された状態で前記複数の係止爪がそれぞれ対応する前記複数の係合部に係止することにより、前記レンズ鏡胴の先端部に前記アクセサリ部品が装着されるレンズ装置のアクセサリ着脱機構であって、
前記アクセサリ部品は、１又は複数のレンズが保持される金属製のレンズ枠と、該レンズ枠の後端部に連結固定される樹脂製の円筒部と、を備えた補助レンズであり、
前記アクセサリ側装着部の内周面には周方向に沿って内側に向けて突出する突出部が前記レンズ枠と一体的に設けられ、該突出部は、前記アクセサリ側装着部に径方向の外力が作用した場合に前記鏡胴側装着部の外周面に当接するように構成されることを特徴とするレンズ装置のアクセサリ着脱機構。
【請求項２】
前記突出部は、前記外力が作用しない場合には前記鏡胴側装着部の外周面との間に所定のクリアランスが設けられることを特徴とする請求項１に記載のレンズ装置のアクセサリ着脱機構。
【請求項３】
前記突出部は、前記アクセサリ部品の内周面の周方向全体にわたって円環状に形成されることを特徴とする請求項１又は２に記載のレンズ装置のアクセサリ着脱機構。
【発明の詳細な説明】
【技術分野】
【０００１】
本発明は、レンズ装置のアクセサリ着脱機構に係り、特にレンズ鏡胴の先端部にワイドコンバータ等のアクセサリ部品が着脱自在に構成されるレンズ装置のアクセサリ着脱機構に関する。
【背景技術】
【０００２】
従来、ＥＮＧカメラ等の業務用ハンディカメラに用いられる撮影レンズ（ズームレンズ）は、前玉繰り出しと呼ばれる方式、即ち、前玉のフォーカスレンズ群全体を繰り出してフォーカシングを行うのが一般的であったが、近年の更なる小型化、軽量化の下、インナーフォーカス式のズームレンズが広く用いられるようになっている。
【０００３】
このようなインナーフォーカス式ズームレンズでは、レンズ鏡胴の内部には光学系を構成する各種レンズ等が保持されており、その後端部には、カメラ本体に対して例えばバヨネット方式により着脱可能に装着されるマウントが設けられ、レンズ鏡胴の外周部（レンズ鏡胴の各種構成部材を支持する鏡胴本体の外周部）には、内部に保持したフォーカス用のレンズ（フォーカスレンズ群）、ズーム用のレンズ（変倍レンズ群）、絞り等にメカ的に連結されてそれらを駆動するための操作リングが回動可能に設けられている。
【０００４】
また、レンズ鏡胴の先端部には、レンズフード、ワイドコンバータ、テレコンバータ等の各種アクセサリ部品（以下、「前面アクセサリ」ともいう。）を装着することができるようになっている。アクセサリ部品とレンズ鏡胴とは、アクセサリ部品に設けられた装着部と、レンズ鏡胴の先端に設けられた装着部とからなる着脱機構によって着脱自在に構成される（例えば特許文献１参照）。
【先行技術文献】
【特許文献】
【０００５】
【特許文献１】特開平９−２１１３０３号公報
【発明の概要】
【発明が解決しようとする課題】
【０００６】
しかしながら、特許文献１に開示されるような着脱機構では、アクセサリ部品に形成されたネジ部をレンズ鏡胴に形成されたネジ部に螺合させることで、前記アクセサリ部品がレンズ鏡胴の先端部に装着される構造となっているため、アクセサリ部品の着脱を容易に行える利点があるものの、振動や衝撃等の外力が加えられると、レンズ鏡胴とアクセサリ部品を締結するネジ部が緩みやすいといった欠点がある。
【０００７】
特に、ワイドコンバータやテレコンバータ等の補助レンズがレンズ鏡胴の先端部に装着される場合には、補助レンズとレンズ鏡胴を締結するためのネジ部が緩んだ状態で使用されると、補助レンズとレンズ鏡胴の光軸に位置ずれが生じてフォーカス精度の低下を招き、最悪の場合には補助レンズが脱落してしまう恐れがある。
【０００８】
本発明は、このような事情に鑑みてなされたもので、アクセサリ部品とレンズ鏡胴の光軸に位置ずれが生じることなく、高精度のフォーカス動作を可能とするレンズ装置のアクセサリ着脱機構を提供することを目的とする。
【課題を解決するための手段】
【０００９】
前記目的を達成するために、本発明に係るレンズ装置のアクセサリ着脱機構は、レンズ鏡胴の先端部にアクセサリ部品が着脱自在に構成されるレンズ装置のアクセサリ着脱機構において、前記レンズ鏡胴の先端部には円筒状に突出形成された鏡胴側装着部が設けられ、該鏡胴側装着部の外周面には複数の係合部が周方向に沿って等間隔で形成され、前記アクセサリ部品の後端部には円筒状に突出形成されたアクセサリ側装着部が設けられ、該アクセサリ側装着部の内周面には前記複数の係合部にそれぞれ対応する位置に複数の係止爪が周方向に沿って等間隔で形成され、前記アクセサリ側装着部の内側に前記鏡胴側装着部が挿入された状態で前記複数の係止爪がそれぞれ対応する前記複数の係合部に係止することにより、前記レンズ鏡胴の先端部に前記アクセサリ部品が装着されるレンズ装置のアクセサリ着脱機構であって、前記アクセサリ部品は、１又は複数のレンズが保持される金属製のレンズ枠と、該レンズ枠の後端部に連結固定される樹脂製の円筒部と、を備えた補助レンズであり、前記アクセサリ側装着部の内周面には周方向に沿って内側に向けて突出する突出部が前記レンズ枠と一体的に設けられ、該突出部は、前記アクセサリ側装着部に径方向の外力が作用した場合に前記鏡胴側装着部の外周面に当接するように構成されることを特徴とする。
【００１０】
本発明によれば、アクセサリ側装着部の内周面に設けられた突出部が鏡胴側装着部の外周面に当接することにより外力による衝撃が分散される。これにより、アクセサリ部品とレンズ鏡胴との光軸の位置ずれが防止され、高精度なフォーカス動作が可能となる。また、アクセサリ部品の脱落も防止することができる。
【００１１】
本発明では、前記突出部は、前記外力が作用しない場合には前記鏡胴側装着部の外周面との間に所定のクリアランスが設けられることが好ましい。これにより、突出部が鏡胴側装着部に干渉することなく、アクセサリ部品をレンズ鏡胴に容易に装着できる。
【００１２】
また、本発明では、前記突出部は、前記アクセサリ部品の内周面の周方向全体にわたって円環状に形成されることが好ましい。これにより、外力が加えられる方向に左右されることなく、外力による衝撃を分散させることができる。
【発明の効果】
【００１３】
本発明によれば、アクセサリ側装着部の内周面に設けられた突出部が鏡胴側装着部の外周面に当接することにより外力による衝撃が分散される。これにより、アクセサリ部品とレンズ鏡胴との光軸の位置ずれが防止され、高精度なフォーカス動作が可能となる。また、アクセサリ部品の脱落も防止することができる。
【図面の簡単な説明】
【００１４】
【図１】本発明に係るレンズ装置のアクセサリ着脱機構が適用される撮影レンズの外観構成を示した上面図
【図２】レンズ鏡胴からワイドコンバータを取り外した状態を示す図
【図３】ワイドコンバータの内部構造を示す断面図
【図４】前面アクセサリの着脱機構を説明するための図
【図５】鏡胴側装着部の係合部を拡大して示した斜視図
【図６】アクセサリ側装着部の係止爪を拡大して示した斜視図
【図７】図３の一部を拡大して示した拡大断面図
【発明を実施するための形態】
【００１５】
以下、添付図面に従って、本発明に係るレンズ装置のアクセサリ着脱機構の形態について詳述する。
【００１６】
〔撮影レンズの全体構成の説明〕
図１は、本発明に係るレンズ装置のアクセサリ着脱機構が適用される撮影レンズの外観構成を示した上面図である。
【００１７】
図１に示す撮影レンズ２は、放送用又は業務用として取材などで携帯されるＥＮＧカメラ等のカメラ装置に後端のマウント部１８により着脱可能に装着されるレンズ装置であり、主としてレンズ鏡胴４と駆動ユニット２０とから構成されている。
【００１８】
レンズ鏡胴４は、前方側（対物側）から入射される被写体光を集光してカメラ装置の撮像面に被写体像を結像する撮影光学系を内部に保持しており、その撮影光学系の構成部品として、フォーカスレンズ（群）、ズームレンズ（群）、絞り、リレーレンズ（群）等を備えている。
【００１９】
また、レンズ鏡胴４は、外周部に回動可能なフォーカスリング１０、ズームリング１２、アイリスリング１４を備えており、フォーカスリング１０を回動操作すると、前記フォーカスレンズが光軸に沿って前後移動してピント位置が変化し、ズームリング１２を回動操作すると、前記ズームレンズが光軸に沿って前後移動して焦点距離が変化し、アイリスリング１４を回動操作すると、前記絞りが開閉動作して絞り値が変化するようになっている。更に同図のレンズ鏡胴４は、後部にエクステンダー１６を備えており、図示しないレバーを回動操作することによって像倍率を例えば１倍と２倍とで切り替えることができるようになっている。
【００２０】
駆動ユニット２０は、レンズ鏡胴４の側部に取り付けられており、その駆動ユニット２０のケーシング内部には、レンズ鏡胴４のフォーカスリング１０、ズームリング１２、アイリスリング１４の各々に係合したモータや各モータを駆動制御する回路部品等が内蔵されている。また、説明を省略するが駆動ユニット２０のケーシングの外面にはレンズ操作のための各種操作部材が設けられている。
【００２１】
図１のレンズ鏡胴４の先端部（図１中左側端の被写体側）には、撮影光学系の焦点距離を所定倍率分、広角側にシフトさせるワイドコンバータ３０が取り付けられている。ワイドコンバータ３０は、レンズ鏡胴４から着脱可能な構造を有し、ワイドコンバータ３０の代わりに他の種類の前面アクセサリをレンズ鏡胴４の先端部に装着することができるようになっている。
【００２２】
ワイドコンバータ３０以外の前面アクセサリとしては、例えば、撮影光学系の焦点距離を所定倍率分、望遠側にシフトさせるテレコンバータ、画面のアスペクト比を１６：９から４：３にした時に変化する画像サイズを本来のサイズにするレシオコンバータ、撮影画角外からの光を遮断するレンズフードなどが提供されている。
【００２３】
これらの前面アクセサリとレンズ鏡胴４とは、前面アクセサリの後端部に設けられた装着部（以下、「アクセサリ側装着部」という。）と、レンズ鏡胴４の先端部に設けられた装着部（以下、「鏡胴側装着部」という。）と、からなる着脱機構によって着脱できるようになっており、アクセサリ側装着部は交換可能とする任意の種類の前面アクセサリにおいて同一の基本構造を有して形成され、鏡胴側装着部も、それらの前面アクセサリを装着可能とする任意の種類のレンズ鏡胴において同一の基本構造を有して形成されている。
【００２４】
図２は、レンズ鏡胴４からワイドコンバータ３０を取り外した状態を示す図である。同図に示すように、レンズ鏡胴４は先端部にワイドコンバータ３０を取り付けるための鏡胴側装着部４０が設けられている。鏡胴側装着部４０は、ワイドコンバータ３０の後端部に設けられるアクセサリ側装着部（図３又は図４に符号６０を付して図示）と連結される。
【００２５】
鏡胴側装着部４０とアクセサリ側装着部とによる前面アクセサリの着脱構造（アクセサリ着脱機構）については後で詳しく説明するが、レンズ鏡胴４の先端部には円筒状に突出形成された円筒部４２が設けられており、該円筒部４２の外周面上には複数の係合部４４が形成されている。一方、ワイドコンバータ３０に設けられるアクセサリ側装着部は、係合部４４に対応する構造が設けられている。かかる構造を有するワイドコンバータ３０の後端部にレンズ鏡胴４の先端部の円筒部４２を挿入し、ワイドコンバータ３０を所定の方向に回転させると、鏡胴側装着部４０とアクセサリ側装着部が連結されるとともにロックされる。
【００２６】
〔ワイドコンバータ（前面アクセサリ）の説明〕
図３は、ワイドコンバータ３０の内部構造を示す断面図である。尚、図３では、ワイドコンバータ３０の後端部にレンズ鏡胴４の先端部の円筒部４２が挿入され、鏡胴側装着部４０とアクセサリ側装着部が連結されてロックされた状態が図示されている。
【００２７】
図３に示すように、ワイドコンバータ３０は、内部に複数のレンズが固定保持されるレンズ枠１００と、該レンズ枠１００の後端部に連結固定される円筒部６２と、を備えて構成される。尚、レンズ枠１００の一部（後端部）と円筒部６２は、アクセサリ側装着部６０の構成要素である。
【００２８】
本実施形態におけるワイドコンバータ３０は、２つの異なる部材からなる２ピース構造を有しており、レンズ枠１００はアルミ等の金属部材で構成され、円筒部６２はＡＢＳ樹脂等の樹脂部材で構成される。このような２ピース構造によれば、レンズを保持するために所定の強度を確保しつつ、全体的な軽量化を図ることができ、携帯性や操作性を向上させることが可能となる。
【００２９】
もっと言えば、レンズを保持する部分は、強度、精度の面から金属材料が好ましく、レンズ鏡胴と係合する部分は係止爪等の複雑な構造を成形しやすく鏡胴に傷をつけにくい樹脂材料が好ましいため、このような２ピース構造を採用している。
【００３０】
レンズ枠１００の内部には、最も後側に固定される第１のレンズ１０２と、第１のレンズ１０２の前側面１０２Ａを支持する間隔環１０４と、間隔環１０４によって第１のレンズ１０２との間の光軸方向における間隔が決められて固定される第２のレンズ１０６と、第２のレンズ１０６の前側面１０６Ａを支持する押え環１０８と、第２のレンズ１０６の前側に固定される第３のレンズ１１０と、第３のレンズ１１０の前側面１１０Ａを支持する押え環１１２と、を具備している。
【００３１】
レンズ枠１００の後端部の外周面には、円筒部６２を連結するための雄ネジ部が設けられている。一方、円筒部６２の先端部は、レンズ枠１００の後端部の外径と略同一の内径を有し、その内周面にはレンズ枠１００の雄ネジ部に対応した雌ネジ部が設けられている。レンズ枠１００の雄ネジ部と円筒部６２の雄ネジ部を螺合させることにより、レンズ枠１００の後端部に円筒部６２が連結される。尚、レンズ枠１００と円筒部６２とはネジ部同士を螺合させた状態で接着剤等による接合手段により接合固定されている。
【００３２】
〔前面アクセサリの着脱機構の説明〕
次に、本発明が適用される前面アクセサリの着脱機構について詳しく説明する。ここでは、前面アクセサリとして図１乃至図３に示したワイドコンバータ３０がレンズ鏡胴４の先端に装着される場合を一例に説明するが、ワイドコンバータ３０以外の他の前面アクセサリが装着される場合についても同様である。
【００３３】
図４は、前面アクセサリの着脱機構を説明するための図であり、レンズ鏡胴４の先端部に設けられる鏡胴側装着部４０と、ワイドコンバータ３０の後端部に設けられるアクセサリ側装着部６０とが拡大して示されている。尚、以下の説明においてレンズ鏡胴４の中心軸（光軸）又は前面アクセサリの中心軸から離れる方向を外側方向、その逆を内側方向とし、所定の位置に対して外側方向の位置範囲を外側、外面側、外周側等といい、内側方向の位置範囲を内側、内面側、内周側等というものとする。
【００３４】
鏡胴側装着部４０は、レンズ鏡胴４の先端部に円筒状に突出形成された円筒部４２と、その外周面上において例えば等間隔の３箇所に同一構造で形成された係合部４４とを有している。同図の係合部４４は複数の係合溝のうちの１つ示す。
【００３５】
円筒部４２は、係合部４４が設けられる部分以外において一様な（同一径の）円筒状の面（円筒面）を外周面として有している。以下において、円筒部４２の外周面又は円筒面という場合にはその一様な円筒面を示す。
【００３６】
係合部４４は、図５の斜視図でも示すようにガイド溝４６、係止溝４８、及び、係止突起５０とから構成されている。
【００３７】
ガイド溝４６及び係止溝４８は、円筒部４２の外周面上に形成された凹状の溝であり、ガイド溝４６は、円筒部４２の先端面の位置から軸方向（光軸方向）に形成され、係止溝４８は、ガイド溝４６の後端位置から周方向に形成されている。
【００３８】
係止突起５０は、ガイド溝４６と係止溝４８の連結部分において、係止溝４８の底面から外側に突出形成されており、ガイド溝４６側がテーパ面５０Ａで形成されている。尚、係止溝４８から係止突起５０を除いた部分を係止溝４８と称するものとする。
【００３９】
一方、アクセサリ側装着部６０は、前面アクセサリの後端部に後方に突出形成された円筒部６２と、その内周面上において同一構造で形成された複数の凹部６４と、各凹部６４に配置された複数の係止爪６６とを有している。同図の凹部６４及び係止爪６６は複数の凹部及び係止爪のうちの１つを示す。また、同図のアクセサリ側装着部６０における実線は、円筒部６２の内周面上での部材の輪郭を示す。
【００４０】
円筒部６２は、上記鏡胴側装着部４０への装着時に鏡胴側装着部４０の円筒部４２の外周側に嵌合されると共に、その円筒部４２の外周面と略等しい径の内周面を有している。尚、円筒部６２は凹部６４及び係止爪６６が設けられる部分以外において一様な（同一径の）円筒状の面（円筒面）を内周面として有しており、以下において、円筒部４２の内周面又は円筒面という場合にはその一様な円筒面を示す。
【００４１】
凹部６４は、図６の斜視図にも示すように円筒部６２の内周面において外側に凹状に窪む穴であり、上記鏡胴側装着部４０の各係合部４４に対応した位置（係合部４４と同数（例えば３つ）及び同間隔）に形成されている。この凹部６４に係止爪６６が配置されている。
【００４２】
係止爪６６は、板状体６８と係止突起７０とから形成されている。板状体６８は、円筒部６２の内周面を形成する部材に一体形成されて凹部６４内に突出配置されており、板状体６８の内周側の面が円筒部６２の内周面に沿うような形状及び位置に配置されている。また、板状体６８の外周側の面は、凹部６４の全ての壁面から離間しており、板状体６８は、円筒部６２の部材に連結された一端を基点にして弾性変形可能な状態に支持されている。
【００４３】
係止突起７０は、板状体６８の内周側の面に突出形成されており、円筒部６２の内周面の位置よりも内側に突出した状態に配置される。係止突起７０の高さ（突出量）は、前面アクセサリの中心軸（光軸）と、レンズ鏡胴４の中心軸（光軸）とを一致させた状態において、鏡胴側装着部４０の円筒部４２の外周面よりも内側の位置に突出する高さに形成されている。係止突起７０の周方向の長さ（幅）は、鏡胴側装着部の係止溝４８と略等しい長さ（幅）に形成されている。尚、鏡胴側装着部４０の係止溝４８の周方向の幅は、少なくとも係止爪６６の係止突起７０よりも大きな幅で形成されている。
【００４４】
以上の如く構成された鏡胴側装着部４０とアクセサリ側装着部６０とによる前面アクセサリの着脱機構によれば、以下の操作によって所望の前面アクセサリ（例えばワイドコンバータ３０）をレンズ鏡胴４に装着することができる。まず、操作者は、所定の前面アクセサリの中心軸をレンズ鏡胴４の中心軸に合わせ、前面アクセサリを軸周りに回転させて前面アクセサリのアクセサリ側装着部６０に設けられた複数の係止爪６６の係止突起７０の位置と、レンズ鏡胴４の鏡胴側装着部４０に設けられた複数の係合部４４のガイド溝４６の位置とを合致させる。このとき、アクセサリ側装着部６０の係止爪６６の外側への微小の弾性変形によって、鏡胴側装着部４０の円筒部４２のガイド溝４６に進入できる状態となる。尚、鏡胴側装着部４０の円筒部４２の先端面４２Ａと当接する係止爪６６の係止突起７０と面７０Ａはテーパ面で形成されており、ガイド溝４６に進入しやすいようになっている。
【００４５】
続いて、操作者は、前面アクセサリをレンズ鏡胴４側に押し込む。これによって、アクセサリ側装着部６０の係止突起７０が鏡胴側装着部４０のガイド溝４６を進行し、アクセサリ側装着部６０の円筒部６２が鏡胴側装着部４０の円筒部４２の外側に覆い被さる状態に嵌め込まれる。そして、前面アクセサリをレンズ鏡胴４側にそれ以上押し込むことができなくなるまで、即ち、アクセサリ側装着部６０の係止突起７０が、鏡胴側装着部４０のガイド溝４６の後端に到達するまで、前面アクセサリをレンズ鏡胴４側に押し込む。
【００４６】
次いで、操作者は、前面アクセサリを前方から見て時計回りに回転可能な位置まで回転させる。このとき、アクセサリ側装着部６０の係止突起７０は、鏡胴側装着部４０の係合部４４のガイド溝４６と係止溝４８の間に設けられた係止突起５０に当接するが、係止爪６６が外側に弾性変形することによって、係止突起５０を乗り越えた後、係止爪６６が元の弾性変形の状態に戻ると共に、係止溝４８に嵌合して係止された状態となる。尚、係止爪６６の係止突起７０が係止突起５０を乗り越える際に当接する係止突起５０の面５０Ａはテーパ面で形成されているため、係止突起７０の回転移動が完全に規制されることなく適度な回転力を加えることによって係止突起５０を乗り越えられるようになっている。
【００４７】
以上の操作により、鏡胴側装着部４０とアクセサリ側装着部６０とが装着され、前面アクセサリがレンズ鏡胴４の先端部に装着された状態となる。図７は、図３の一部を拡大して示した拡大断面図である。図７に示すように、アクセサリ側装着部６０の円筒部６２は、鏡胴側装着部４０の円筒部４２の外周側を覆う状態に嵌め込まれ、アクセサリ側装着部６０の係止爪６６の係止突起７０が、鏡胴側装着部４０の係止溝４８に係合した状態となる。
【００４８】
このとき、鏡胴側装着部４０に対するアクセサリ側装着部６０の前方向（図７中左方向）への移動及びガタは、係止突起７０の前側の面と係止溝４８の前側の面とが当接した状態となることにより規制される。
【００４９】
また、鏡胴側装着部４０に対するアクセサリ側装着部６０の後方向（図７中右方向）への移動及びガタは、アクセサリ側装着部６０の円筒部６２の後端が、鏡胴側装着部４０の円筒部４２の基端に環状に形成された隆起部４３に当接した状態となることにより規制される。
【００５０】
一方、鏡胴側装着部４０に対するアクセサリ側装着部６０の周方向への回転移動及びガタは、係止爪６６の係止突起７０の周方向の両端面が、図４及び図５に示されている係止溝４８の端部と係止突起５０に当接した状態となることにより規制される。
【００５１】
従って、鏡胴側装着部４０とアクセサリ側装着部６０とが装着された状態では、レンズ鏡胴４に対して前面アクセサリが規定の位置に固定されると共に、容易には離脱しない状態に固定されるようになる。
【００５２】
前面アクセサリをレンズ鏡胴４から取り外す場合には、装着時とは逆の手順の操作を行えばよく、前面アクセサリを前方から見て反時計回りに比較的大きな力で回転させて、前面アクセサリの係止突起７０が鏡胴側装着部４０の係止突起５０を乗り越えるようにし、その後、前面アクセサリを前方に引き出せばよい。尚、係止爪６６の係止突起７０が係止溝４８に係止されている状態において係止突起５０に当接している係止突起７０の面７０Ｂはテーパ面で形成されているため、係止突起７０の回転移動が完全に規制されることなく適度な回転力を加えることによって係止突起５０を乗り越えられるようになっている。
【００５３】
〔前面アクセサリの着脱機構における衝撃分散構造の説明〕
次に、上記前面アクセサリの着脱機構に設けられる衝撃分散構造について説明する。
【００５４】
図３に示したワイドコンバータ３０のように、金属製のレンズ枠１００と樹脂製の円筒部６２とからなる２ピース構造を有する前面アクセサリでは、レンズフードと比較して先端部の重量が大きく、円筒部６２を構成する樹脂は金属に比べて剛性及び寸法精度が低い。このため、上記の着脱機構のみでレンズ鏡胴４に装着した場合には、鏡胴側装着部４０に対してアクセサリ側装着部６０の円筒部６２だけで力を受けているため、前面アクセサリの着脱機構に径方向の外力Ｆ（図７参照）が加えられると、外力Ｆによる衝撃が分散されずに、アクセサリ側装着部６０の円筒部６２に集中し、該円筒部６２が変形してしまい、前面アクセサリとレンズ鏡胴４との間にガタが発生しやすく、前面アクセサリとレンズ鏡胴４との光軸に位置ずれが生じ、フォーカス精度の低下を招いてしまう。最悪の場合には、レンズ鏡胴４から脱落して前面アクセサリを破損してしまう恐れがある。
【００５５】
そこで本実施形態では、前面アクセサリの着脱機構に加えられた衝撃を分散させるための構造（衝撃分散構造）が設けられている。
【００５６】
具体的には、図７に示すように、金属製のレンズ枠１００の内周面における後端部（鏡胴側装着部４０の円筒部４２とのオーバーラップ領域に対応する位置）に周方向全体にわたって内側に突出する円環状の突出部１２０が設けられている。この突出部１２０は衝撃分散構造の構成要素であり、アクセサリ側装着部６０の円筒部６２の内周面よりも内側に僅かに突出して形成される。
【００５７】
突出部１２０は、レンズ枠１００と一体的に形成された金属部材で構成されており、外力Ｆが加えられていない場合には、突出部１２０の先端面と鏡胴側装着部４０の円筒部４２の外周面との間に僅かなクリアランスが高精度に設けられている。尚、前記クリアランスは、アクセサリ側装着部６０の円筒部６２の内周面と鏡胴側装着部４０の円筒部４２の外周面とのクリアランスより狭くなっている。
【００５８】
かかる構成により、図７に示すような径方向の外力Ｆが加えられると、鏡胴側装着部４０の円筒部４２の外周面にレンズ枠１００の後端部に形成される突出部１２０が当接する。これにより、アクセサリ側装着部６０の円筒部６２の変形が防止されるとともに、外力Ｆによる衝撃が突出部１２０を通じてレンズ鏡胴４に分散され、突出部１２０が設けられない場合に比べて前面アクセサリとレンズ鏡胴４との間に発生するガタが抑えられ、前面アクセサリとレンズ鏡胴４との光軸の位置ずれを防止することができる。その結果、高精度のフォーカス動作が可能となる。また、前面アクセサリの脱落も防止することができる。
【００５９】
尚、本実施形態では、レンズ枠１００の内周面の周方向全体にわたって突出部１２０が設けられる態様が好ましく採用されるが、これに限らず、複数の突出部１２０が周方向に沿って所定間隔をあけて等間隔に形成されていてもよい。
【００６０】
以上、本発明に係るレンズ装置のアクセサリ着脱機構について詳細に説明したが、本発明は、以上の例には限定されず、本発明の要旨を逸脱しない範囲において、各種の改良や変形を行ってもよいのはもちろんである。
【符号の説明】
【００６１】
２…撮影レンズ、４…レンズ鏡胴、３０…ワイドコンバータ、４０…鏡胴側装着部、４２…円筒部、４４…係合部、６０…アクセサリ側装着部、６２…円筒部、６６…係止爪、１００…レンズ枠、１２０…突出部
【図１】
0005448990.tif 000002
【図２】
0005448990.tif 000003
【図３】
0005448990.tif 000004
【図４】
0005448990.tif 000005
【図５】
0005448990.tif 000006
【図６】
0005448990.tif 000007
【図７】
0005448990.tif 000008